(57)【要約】【課題】リップクリームなどの化粧料の塗布状態を、滑らかで潤いに富んだ状態に仕上げることができる唇用美容器具を提供する。【解決手段】本体部１と、本体部１で支持される加熱ヘッド２と、加熱ヘッド２を加熱する熱源１１と、熱源１１に対して駆動電流を供給する電源部１２と、電源部１２の給電状態を制御するスイッチ操作具１３とを有する。本体部１の一端に、加熱ヘッド２が本体部１から突出する状態で設けてある。唇に塗布された化粧料に、所定温度に加熱された加熱ヘッド２を密着させて、温熱を加えながら化粧料を塗り伸ばす。【選択図】図１
2015006583.tif 000002
【特許請求の範囲】
【請求項１】
本体部（１）と、本体部（１）で支持される加熱ヘッド（２）と、加熱ヘッド（２）を加熱する熱源（１１）と、熱源（１１）に対して駆動電流を供給する電源部（１２）と、電源部（１２）の給電状態を制御するスイッチ操作具（１３）とを有し、
本体部（１）の一端に、加熱ヘッド（２）が本体部（１）から突出する状態で設けてあり、
唇に塗布された化粧料に、所定温度に加熱された加熱ヘッド（２）を密着させて、化粧料を塗り伸ばすことを特徴とする唇用美容器具。
【請求項２】
加熱ヘッド（２）の表面に、化粧料を塗り伸ばす展伸面（３２）が周回状に形成してある請求項１に記載の唇用美容器具。
【請求項３】
加熱ヘッド（２）が、化粧料を塗り伸ばす展伸面（３２）と、唇をマッサージするマッサージ面（３１）とを含んで球状ないし丸棒状に形成してある請求項１または２に記載の唇用美容器具。
【請求項４】
加熱ヘッド（２）が、断面円形の展伸面（３２）と、展伸面（３２）の端部に、加熱ヘッド（２）の軸に対して傾斜させて設けたマッサージ面（３１）とを含んで丸棒状に形成してある請求項３に記載の唇用美容器具。
【発明の詳細な説明】
【技術分野】
【０００１】
本発明は、唇に塗布した化粧料を均等に展伸でき、さらに唇の肌面の状態を好適な状態に整えることができる唇用美容器具に関する。
【背景技術】
【０００２】
相対湿度が著しく低下する季節には、肌が乾燥して肌荒れを生じやすくなる。とくに、乾燥した空気に晒されやすい顔、手、唇などの肌面は、乾燥してかさかさした状態になり、あるいは肌面の艶がなくなってくすんだ状態になりやすい。なかでも、皮膚を構成する角質部分が薄い唇は肌荒れしやすい。このように、肌荒れした状態の唇に口紅あるいはリップクリームなどの唇用の化粧料を塗っても、好ましい状態に仕上げることは難しい。これは、肌荒れした状態の唇には縦皺や肌面のめくれなどが生じていて、口紅の「のり」が悪くなるからである。
【０００３】
口紅などの「のり」を良くすることに関して、特許文献１の唇用保湿シートが公知である。そこでは、透明なシート基材と、シート基材の片面に配置したゲル層とで唇用保湿シートを構成している。ゲル層は粘剤、湿潤剤、水などを主成分にして形成してある。使用時には、ゲル層を唇に密着させ、その状態を５分前後維持したのち唇用保湿シートを除去する。この種の唇用保湿シートによれば、湿潤剤や水で唇の潤いを回復させ、さらにシートを唇に貼ることによる閉塞作用によって、唇表面の血行を改善し赤みを回復でき、さらに口紅の「のり」がよくなる。
【０００４】
本発明では、肌面に温熱を与えて唇の状態をより好適な状態に整えるが、このように肌面に温熱を与える美容器具は、例えば特許文献２に係る美顔用のマッサージ装置に開示されている。そこでは、棒状のグリップの一端に二又状のアームを装着し、両アームの間に固定した中空軸でマッサージローラーを回転自在に支持している。中空軸の内部には、マッサージローラーを加熱するヒーターと、温度センサーが配置してある。マッサージローラーは、高純度のゲルマニウムで形成してあり、ヒーターで加熱することにより多量のマイナス自由電子を放出する。使用時には、表面温度が４０〜４８度Ｃに保持された状態のマッサージローラーを肌面に軽く押当て、皮膚表面に沿ってマッサージローラーを転動させる。このように、特許文献２のマッサージ装置では、肌面に温熱を与えながらマッサージローラーで肌面を刺激し、さらに、マッサージローラーから放出されるマイナス自由電子と、肌面側のプラス自由電子との中和作用によって、肌面の状態を好適な状態に整えることができる。
【先行技術文献】
【特許文献】
【０００５】
【特許文献１】特開平１１−２０９２２６号公報
【特許文献２】特開２００８−３６２４７号公報
【発明の概要】
【発明が解決しようとする課題】
【０００６】
本発明の目的は、口紅やリップクリームなどの化粧料の塗布状態を滑らかで潤いに富んだ状態に仕上げることができ、さらに、食後や退社前などの化粧直しなどの際に手軽に使用することができる唇用美容器具を提供することにある。
【課題を解決するための手段】
【０００７】
本発明に係る唇用美容器具は、本体部１と、本体部１で支持される加熱ヘッド２と、加熱ヘッド２を加熱する熱源１１と、熱源１１に対して駆動電流を供給する電源部１２と、電源部１２の給電状態を制御するスイッチ操作具１３とを有している。本体部１の一端に、加熱ヘッド２が本体部１から突出する状態で設けてある。唇に塗布された化粧料に、所定温度に加熱された加熱ヘッド２を密着させて、化粧料を塗り伸ばすことを特徴とする。
【０００８】
加熱ヘッド２の表面に、化粧料を塗り伸ばすための展伸面３２を周回状に形成する。
【０００９】
加熱ヘッド２を、化粧料を塗り伸ばす展伸面３２と、唇をマッサージするマッサージ面３１とを含んで球状ないし丸棒状に形成する。
【００１０】
加熱ヘッド２を、断面円形の展伸面３２と、展伸面３２の端部に、加熱ヘッド２の軸に対して傾斜させて設けたマッサージ面３１とを含んで丸棒状に形成する（図１９（ｅ）参照）。
【発明の効果】
【００１１】
本発明に係る唇用美容器具においては、所定温度に加熱された加熱ヘッド２を唇に密着させ、唇に塗布した化粧料に温熱を加えながら塗り伸ばすので、化粧料に含まれるパラフィンなどの油脂類やワックス類を軟化させながら塗り伸ばすことができる。そのため、唇に縦皺が形成されていたとしても、皺の内部にまで化粧料を染込ませることができ、従って、口紅やリップクリームなどの化粧料の塗布状態を滑らかで潤いに富んだ状態に仕上げることができる。
【００１２】
本体部１の一端に、加熱ヘッド２を本体部１から突出する状態で設けると、加熱ヘッド２のみを唇に接触させた状態で、温熱を加えながら化粧料を塗り伸ばすことができる。このときの美容器具の使用状態は、日常的に行っている棒状の口紅を唇に塗布する状態と同じであるので、化粧料の塗り伸ばし作業を的確に、しかも簡便に行うことができる。
【００１３】
加熱ヘッド２の表面に展伸面３２を周回状に形成すると、唇と接触する展伸面３２の部位を周方向へずらしながら使用することにより、展伸面３２の全周面を使用して唇に温熱を加えることができる。従って、常に適温に保持された展伸面３２で化粧料を好適に塗り伸ばすことができる。
【００１４】
マッサージ面３１と展伸面３２を含んで球状ないし丸棒状に形成した加熱ヘッド２によれば、マッサージ面３１と展伸面３２を使い分けて、唇をマッサージし、あるいは化粧料を塗り伸ばすことができる。また、断面が円形の展伸面３２で化粧料を塗り伸ばすので、唇と接触する展伸面３２の部位の変更を円滑に行なうことができ、従って、展伸面３２による化粧料の塗り伸ばし作業をさらに簡便に行うことができる。加えて、加熱ヘッド２の突端のマッサージ面３１を唇に押付けた状態でマッサージを行うことにより、唇の肌面に対して、より綿密にしかも的確にマッサージ刺激を与えることができる。
【図面の簡単な説明】
【００１５】
【図１】本発明に係る唇用美容器具の上半部の縦断側面図である。
【図２】唇用美容器具の正面図である。
【図３】唇用美容器具の側面図である。
【図４】本体部の構成部材を分離した状態で示す一部破断側面図である。
【図５】本体ケースの分解斜視図である。
【図６】加熱ヘッドとその支持構造を示す分解断面図である。
【図７】加熱ヘッドの縦断側面図である。
【図８】イオンクレンジング装置の縦断側面図である。
【図９】イオンクレンジング装置の分解断面図である。
【図１０】唇用美容器具における配電構造を示す説明図である。
【図１１】図２におけるＡ−Ａ線断面図である。
【図１２】保持ケースの組付け途中状態を示す縦断正面図である。
【図１３】肌用電極に綿棒を装着した状態の縦断正面図である。
【図１４】唇用美容器具の使用状態説明図である。
【図１５】加熱ヘッドによる化粧料の展伸作用を示す説明図である。
【図１６】綿棒の切断構造を備えている下キャップの平面図である。
【図１７】下キャップによる綿棒の切断作用を示す説明図である。
【図１８】唇用美容器具の別の実施例を示す一部破断正面図である。
【図１９】加熱ヘッドの別の実施例を示す斜視図である。
【発明を実施するための形態】
【００１６】
（実施例）
図１ないし図１７は、本発明に係る唇用美容器具の実施例を示す。なお、本発明における前後、左右、上下とは、図２および図３に示す交差矢印と、各矢印の近傍に表記した前後、左右、上下の表示に従う。図２において、唇用美容器具は、本体部１と、本体部１の上端から上向きに突出する状態で設けた加熱ヘッド２と、本体部１の下端に設けたイオンクレンジング装置３と、加熱ヘッド２およびイオンクレンジング装置３の外面を覆う上キャップ４（図３参照）、および下キャップ５などで構成してある。
【００１７】
（本体部の構造）
図２〜図６に本体部１の詳細構造を示している。本体部１は、グリップを兼ねる本体ケース６と、本体ケース６に組付けられる保持ケース７と、本体ケース６の下側に配置される底蓋８などで構成してあり、保持ケース７の上端に先の加熱ヘッド２が組付けてある。本体部１の内部には、加熱ヘッド２を加熱するヒーターユニット（熱源）１１と、ヒーターユニット１１に対して駆動電流を供給する電池（電源部）１２が収容してある。この実施例では、本体ケース６の内部に電池１２を収容し、保持ケース７の上部にヒーターユニット１１を配置するようにした。また、本体ケース６の上端に臨んで、唇用美容器具の運転状態を切換えて、電池１２の給電状態を制御するスイッチボタン（スイッチ操作具）１３が設けてある。
【００１８】
図５に示すように、本体ケース６は、丸筒状の内ケース１５と、内ケース１５を収容する透明な四角筒状の外ケース１６とで二重筒状に形成してあり、両ケース１５・１６の間の隙間に装飾シート１７が収容してある。このように、外ケース１６の内部に装飾シート１７を配置すると、外ケース１６を介して装飾シート１７を視認する際に、外ケース１６の透明感によって装飾シート１７の呈色状態を深みのあるものとすることができ、本体ケース６の外観を高級感に富むものとすることができる。また、模様や呈色状態が異なる複数の装飾シート１７を用意しておくことにより、装飾シート１７の種類数の分だけ美容器具の外観上のバリエーションを拡大できる。
【００１９】
図６に示すように、保持ケース７は、前ケース７ａと後ケース７ｂとを蓋合せ状に接合して構成してあり、その上半部分にヒーターユニット１１、スイッチボタン１３、および回路基板１９などを収容する制御区画２０が設けてある。また、前ケース７ａの下半部には電池ホルダー２１が一体に設けてあり、保持ケース７を本体ケース６から抜外した状態において、電池１２を電池ホルダー２１に着脱することができる。回路基板１９には、スイッチボタン１３で切換え操作されるスイッチ素子２２が実装してあり、さらに、スイッチ素子２２の上下にチップ状のＬＥＤ２３・２４が実装してある（図１参照）。回路基板１９には、加熱ヘッド２およびイオンクレンジング装置３に対する給電状態を制御する制御回路が実装してある。回路基板１９は、前ケース７ａと後ケース７ｂの接合面の間に挟持固定してある。
【００２０】
スイッチボタン１３を支持するために、保持ケース７の制御区画２０の下部前面にレンズユニット２５を組付け、同ユニット２５と前ケース７ａとでスイッチボタン１３を出没自在に案内し、ばね２８で外向きに押出し付勢している。レンズユニット２５は透明プラスチック材で形成してあり、その上下に先のＬＥＤ２３・２４と正対する導光壁２６・２７が設けてある。
【００２１】
スイッチボタン１３をばね２８に抗して１回押込み操作すると、スイッチ素子２２がオン状態になり、このオン信号を受けた制御回路がイオンクレンジング装置３に電池１２の電力を供給する。同時に下側のＬＥＤ２３が点灯して、唇用美容器具の運転状態が、イオンクレンジングのための第１モードになっていることを導光壁２６を介して表示する。スイッチボタン１３をもう一度押込み操作すると、スイッチ素子２２のオン信号を受けた制御回路が、イオンクレンジング装置３への給電を停止し、ヒーターユニット１１に電池１２の電力を供給する。同時に上側のＬＥＤ２４が点灯して、唇用美容器具の運転状態が、マーサージと化粧料の展伸のための第２モードになっていることを導光壁２７を介して表示する。さらに、スイッチボタン１３を押込み操作すると、スイッチ素子２２のオン信号を受けた制御回路が、全ての給電路を遮断して電力の供給を停止して待機状態になる。
【００２２】
（加熱ヘッドの構造）
図１、図６および図７に加熱ヘッド２の詳細構造を示している。加熱ヘッド２は、アルミニウム製の丸棒に旋削加工と研削加工とを施して砲弾状に形成してあり、その上端に半球状のマッサージ面３１が形成され、マッサージ面３１の下側に連続して断面円形の展伸面３２が形成してある。また、展伸面３２より下側には丸軸状の装着軸３３が形成してある。加熱ヘッド２の内部には、後述する温度センサー４１を収容するための中空部３４が下向きに開口する状態で形成してあり、中空部３４の開口縁の周囲に、ヒーターユニット１１の熱を受継ぐフランジ状の受熱壁３５が張出してある。先の装着軸３３を前後ケース７ａ・７ｂの対向面に設けた軸受部３６で軸支することにより、加熱ヘッド２は保持ケース７で回転自在に支持される。つまり、加熱ヘッド２は本体部１で回転自在に支持されている。前後ケース７ａ・７ｂに設けた軸受部３６は、上下２段の半円状のフランジ３６ａで構成してある（図７参照）。
【００２３】
図６に示すように、ヒーターユニット１１は、絶縁性のベースフィルム１１ａの上面にヒーター線１１ｂをつづら折り状に配置し、その上面を絶縁性の保護フィルム１１ｃで覆ったフィルムヒーター（面状発熱体）からなる。ベースフィルム１１ａの周縁の２個所には電極３９が設けてあり、両フィルム１１ａ・１１ｃの中央に装着穴４０が形成してある。ヒーター線１１ｂはステンレス製の板材にエッチング加工を施して形成されている。温度センサー４１とヒーターユニット１１を支持するために、加熱ヘッド２の内部に加熱部ホルダー４２が配置してある。
【００２４】
図７において、加熱部ホルダー４２は、ヒーターユニット１１を支持する皿状のベース部４３と、ベース部４３から上向きに突設される筒壁４４とを一体に備えており、ベース部４３を前後ケース７ａ・７ｂで挟持して保持ケース７に固定されている。ベース部４３に装着したヒーターユニット１１は、中央の装着穴４０が筒壁４４の基端部に外嵌して径方向へ移動不能に支持されており、さらに、ヒーターユニット１１の上面が加熱ヘッド２の受熱壁３５と小さな隙間Ｅを介して上下に対向している。詳しくは、ヒーターユニット１１の全厚寸法が０．５〜０．６ｍｍであるとき、ヒーターユニット１１の上面と加熱ヘッド２の受熱壁３５との間の隙間Ｅの寸法が０．１２〜０．２ｍｍになるようにした。なお、加熱ヘッド２は本体部１に対して回転不能に固定することができるが、その場合には、ヒーターユニット１１を受熱壁３５に密着させることにより、熱伝導効率を向上することができる。
【００２５】
上記のように、ヒーターユニット１１と受熱壁３５とを小さな隙間Ｅを介して正対させると、ヒーターユニット１１から受熱壁３５への熱移動を効果的に行ないながら、ヒーターユニット１１の熱が周囲に放散されるのを皿状のベース部４３で防止できる。また、加熱ヘッド２が本体部１の中心軸の周りに回転するとき、ヒーターユニット１１が受熱壁３５と擦れ合うのを避けて、加熱ヘッド２の回転動作を円滑化でき、加えて、ヒーターユニット１１が受熱壁３５で擦られて発熱機能が損なわれるのを避けることができる。さらに、ヒーターユニット１１を加熱部ホルダー４２に固定するので、ヒーターユニット１１の電気的な接点構造を簡素化できる。
【００２６】
温度センサー４１は、チップ状のＮＴＣサーミスタからなり、加熱部ホルダー４２の筒壁４４の上端の上面に配置されて、加熱ヘッド２の温度状態を中空部３４を介して検知する。温度センサー４１のセンサーリード４５は、筒壁４４の内部空間を利用して制御区画２０側へ導出されて回路基板１９に接続してある。制御回路は温度センサー４１の検知信号を受けてヒーターユニット１１の発熱状態を制御し、加熱ヘッド２のマッサージ面３１および展伸面３２の表面温度を３６℃以上４５℃以下の温度範囲に保持する。センサーリード４５は筒壁４４で常に保護されているので、本体部１に大きな衝撃が作用するような場合でも、センサーリード４５が断線することはない。なお、温度センサー４１は、筒壁４４の上端の上面から僅かに浮き離れた状態で支持してあってもよい。
【００２７】
（イオンクレンジング装置の構造）
図２、および図８〜図１１にイオンクレンジング装置３の詳細構造を示している。図２において、イオンクレンジング装置３は、本体ケース６の側に設けられる２個のグリップ電極５１・５２と、底蓋８の下面中央に設けられる肌用電極５３と、これらの電極５１〜５３にパルス電流を供給する電流調整回路などで構成してある。電流調整回路は回路基板１９に設けた制御回路の一部を構成している。肌用電極５３に美容用液が含浸された綿棒（美容液含浸体）５４を装着すると、同電極５３と綿棒５４とが導通した状態になるので、綿棒５４の綿球部５５を唇の肌面に接触させて払拭することにより、イオン導出作用によって肌面を整えることができる。図３において符号５６は綿棒５４の軸部である。
【００２８】
本体ケース６の上下端には、それぞれ四角枠状の上エンドキャップ５８および下エンドキャップ５９が係合装着してあり、これらのエンドキャップ５８・５９の表面全体に金属めっきを施すことによりグリップ電極５１・５２が形成してある。上エンドキャップ５８は、基本的に下向きに開口する四角箱状に形成するが、その前壁はレンズユニット２５を組むために切欠いてある（図６参照）。下エンドキャップ５９は上下両面が開口する四角枠状に形成され、その後面の左右中央に上向きの電極片６０が突設してある。上エンドキャップ５８は保持ケース７の電池ホルダー２１の上側部分に係合装着してあり、下エンドキャップ５９は内ケース１５の下部に凹凸係合構造６１を介して係合装着してある（図８参照）。
【００２９】
下エンドキャップ５９の下面中央には、ねじボス６２が設けてあり、ねじボス６２と、その下面に接合した底蓋８とをビス６３で締結することにより、底蓋８が下エンドキャップ５９に固定してある。図８に示すように、下エンドキャップ５９を内ケース１５の下部に係合装着した状態においては、底蓋８に設けた係合腕９１が、電池ホルダー２１の下部の係合片９２と係合している。
【００３０】
肌用電極５３は、ステンレス製の電極ホルダー６５に装着してあり、電極ホルダー６５は、底蓋８と、底蓋８の下面に固定した蓋体６６とで挟持固定してある。図９に示すように、肌用電極５３は、導電性のゴムを素材にしてキャップ状に形成してあり、電極ホルダー６５に外嵌する筒状の周回壁６７と、中央に綿棒５４用の装着穴６８が形成してある端壁６９とを一体に備えている。周回壁６７の内面には、電極ホルダー６５に設けた係合溝７６に係合する係合リブ７０が形成してある。また、装着穴６８の下開口には、綿球部５５の基端部分を受止めるすり鉢状の受座７１が形成してある。電極ホルダー６５は、軸部７３とフランジ部７４とを一体に備えており、軸部７３の中央に綿棒５４の軸部５６を受入れる逃穴７５が有底穴状に形成してあり、軸部７３の周面に係合リブ６９と係合する係合溝７６が周回状に形成してある。
【００３１】
電極ホルダー６５に設けた逃穴７５が有底穴で形成してあるので、綿棒５４から軸部５６を伝って流れ落ちる美容用液の全てを逃穴７５で受止めて穴内に貯留できる。従って余分な美容用液が本体部１の内部に入り込んで、内部回路がショートするのを確実に防止できる。図８に示すように、逃穴７５の直径Ｄ１は、装着穴６８の直径Ｄ２より大きく設定してある。また、装着穴６８の直径Ｄ２は綿棒５４の軸部５６の直径より小さく設定してあり、従って図１３に示すように、軸部５６は装着穴６８に対して圧入気味に装着される。
【００３２】
上下のグリップ電極５１・５２、および肌用電極５３のそれぞれにパルス電流を供給する給電構造を図１０に示している。給電構造は、上エンドキャップ５８の内面のめっき層に接触する第１接触端子７９と、電池ホルダー２１の外面の左右に配置される第２接触端子８０、および第３接触端子８１を備えている。さらに給電構造は、下エンドキャップ５９のねじボス６２にビス６３で共締め固定される第４接触端子８２と、底蓋８で上下スライド自在に案内されるピン状の第５接触端子８３と、同端子８３を押上げ付勢する金属製のばね８４などで構成してある。ばね８４の下端は電極ホルダー６５で受止められている。
【００３３】
図１に示すように、第１接触端子７９は後ケース７ｂに装着されて、回路基板１９に対してリード線を介して接続してある。また、第２接触端子８０と第３接触端子８１は、図１１に示すように電池ホルダー２１の左右壁に固定されて、回路基板１９に対してリード線を介して接続してある。同様に、電池１２用の正極端子８５と負極端子８６は、電池ホルダー２１の定位位置に固定されて、リード線を介して回路基板１９に接続してある。
【００３４】
図１２に示すように、下エンドキャップ５９を内ケース１５に係合し、さらに保持ケース７を内ケース１５に差込み係合すると、図１３に示すように、グリップ電極５２と導通する第４接触端子８２が第２接触端子８０に密着し、さらに電極ホルダー６５を介して肌用電極５３と導通する第５接触端子８３が、第３接触端子８１に密着する。従って、回路基板１９に実装した制御回路から供給されるパルス電流を、上下のグリップ電極５１・５２、および肌用電極５３にそれぞれ供給することができる。また、保持ケース７の下端に第２接触端子８０および第３接触端子８１を設け、底蓋８の上端に第４接触端子８２および第５接触端子８３を設けるので、保持ケース７を内ケース１５に単に差込み係合するだけで、対応する各端子どうしを確実に密着させることができる。
【００３５】
後述するように、イオンクレンジング作業を行うときには、綿棒５４に美容用液を含浸させた状態で唇のケアを行う。そのため、美容用液の含浸量が多いと、綿球部５５から滴り落ちた美容用液が肌用電極５３の表面を伝って蓋体６６へと流動する。このように、過剰な美容用液が蓋体６６を介して本体部１の内部に入り込むのを防ぐために、肌用電極５３の蓋体６６との隣接端に溝部８８を形成し、さらに溝部８８に臨む蓋体６６の表面に液受凹部８９を周回状に形成している（図１３参照）。溝部８８は、肌用電極５３を電極ホルダー６５から取外すときの、指先を引っ掛けるための指掛部としても機能している。
【００３６】
（唇用美容器具の使用法）
使用時には、図１３に示すように、綿棒５４の軸部５６を肌用電極５３の装着穴６８に圧入して、綿球部５５側の軸部５６を装着穴６８で保持し、綿球部５５を受座７１で受止めた状態で綿棒５４の全体を支持する。この装着状態において、美容用液が含浸された綿球部５５は受座７１に密着して肌用電極５３と電気的に導通している。綿棒５４が傾いた状態で装着穴６８に差込み装着された場合には、軸部５６の下端を逃穴７５の内周面で支持することができるので、綿棒５４が大きく傾いた状態装着されるのを防いで、安定した状態で支持できる。使用途中に軸部５６が折れた場合でも、肌用電極５３を電極ホルダー６５から取外すだけで、折れた軸部５６を簡単に排出することができる。
【００３７】
綿棒５４を肌用電極５３に装着した後、綿球部５５に化粧水などの美容用液を含浸させ、スイッチボタン１３をオン操作して、美容器具をイオンクレンジングを行うための第１モードに切換える。この状態で、図１４に示すように本体部１を手で握って、人指し指を下側のグリップ電極５２の電極片６０に接触させた状態で、鏡を見ながら綿球部５５を唇に接触させ、肌面の縦皺に沿って綿球部５５を上下に滑らせる。また、唇の長手方向に沿って綿球部５５を滑らせて肌面の全体を整える。
【００３８】
このとき、綿球部５５が装着された肌用電極５３はプラスの極性に、グリップ電極５１・５２はマイナスの極性になっており、人体を介して両電極間に導通する微弱な電流によってイオン導出作用を発揮できる。このとき、唇の肌面には綿棒５４を介して電流が供給されるので、肌面に作用する電流を弱めることができ、従って角質層が薄い唇の負担を軽減できる。以上のようにしてクレンジングを行うことにより、肌面の皺や襞部などに入込んでいた汚れを綿球部５５に吸着させて、肌面を清潔な状態に保持できる。また、唇の肌面に化粧水をしみ込ませて、肌面を湿潤で弾力のある状態に保持できる。充分に払拭しきれていない口紅が残っていた場合でも、残留する口紅を確実に除去して、口紅による色素の沈着を防止できる。綿棒５４を使用してクレンジングを行うので、唇の縦皺や肌面のめくれなどの肌荒れが激しい部分に対して集中的にマッサージ刺激を与え、あるいは綿棒５４に含浸させた美容用液を縦皺に対してピンポイント状にしみ込ませるなど、微妙な操作を行なって唇の肌面の状態をさらに好適な状態にできる。
【００３９】
イオンクレンジングを終了した後に、スイッチボタン１３を再度オン操作して、マーサージと化粧料の展伸に適した第２モードに切換えて、加熱ヘッド２が適温になるまでの時間（約３０秒）を利用して、唇にリップクリームをたっぷりと塗布する。次に、加熱ヘッド２が唇と正対するように本体部１を持った状態で、加熱ヘッド２の展伸面３２を唇の表面に接触させて、唇の中央から側端へ向かって加熱ヘッド２を繰返し転動させてリップクリームを塗り伸ばす。このとき、加熱ヘッド２から伝動される熱によって、リップクリームに含まれるパラフィンなどの油脂類やワックス類が軟化して液状化するため、図１５に示すように、唇に縦皺が形成されていたとしても、皺の内部にまでリップクリームを染込ませることができる。また、加熱ヘッド２を転動させながらリップクリームを展伸面３２で塗り伸ばすので、常に新規な展伸面３２で唇の肌面を加熱でき、従ってリップクリームを効果的に展伸することができる。このとき、展伸面３２に接触する唇に、摺擦作用による動的な刺激と温熱を与えられるため、血行の促進効果を発揮することができる。
【００４０】
上記のように、リップクリームを唇の肌面に沿って均等に塗り伸ばした後に、マッサージ面３１を唇の表面にあてがって円を描くようにして、温熱を加えながら唇全体のマッサージを行う。さらに、唇の輪郭線に沿って円を描くようにマッサージ面３１を動かして、唇の輪郭部分のマッサージを行う。最後に、唇の周辺、あるいは唇の肌面に付着したリップクリームを、軽くティシュオフして唇のケアを終了する。唇のケアを行ったのちに口紅を塗布することにより、口紅の塗布状態を滑らかで潤いに富んだ状態に仕上げることができる。なお、ユーザーによっては、リップクリームを塗り伸ばすためにマッサージ面３１を使用することが想定され、従ってマッサージ面３１と展伸面３２の機能の使い分けはユーザーの好みに委ねることとなる。
【００４１】
以上のように、本実施例に係る唇用美容器具によれば、リップクリームを唇の肌面に沿って塗り伸ばした後に、加熱ヘッド２を唇の表面にあてがって、温熱を加えながら唇全体のマッサージを行うことにより、唇の状態を良好な状態に整えることができる。具体的には、唇の肌面がマッサージによって動的に刺激される効果と、温熱が加えられることによる皮膚細胞の活性化を促す効果とが得られるので、動的な刺激効果と活性効果との相乗効果で唇の血行を促進できる。これに伴い、唇の肌面の色合いを自然な状態に回復し、唇の表面状態を艶やかでふっくらとした状態に整えることができる。さらに、唇のケアを行ったのちに口紅を塗布することにより、口紅の塗布状態を滑らかで潤いに富んだ状態に仕上げることができる。短時間で唇のケアを行えるので、昼食後や退社前などの化粧直しなどの際にでも手軽に唇のケア行うことができる。
【００４２】
第１モードと第２モードを行うのには、少なからず時間を要するので、入浴後にスキンケアを行う場合など、時間的に余裕がある状態で行うとよい。食後や退社前などの化粧直しなどの際には、口紅をティシュペーパーで拭取った後、リップクリームを塗布して第２モードでリップクリームを塗り伸ばし、あるいは唇のマッサージを行った後、口紅を塗布すればよいので、一連のメイク作業を短時間で行なうことができ、従って唇の肌面のケアをどこでも手軽に行える。さらに、出勤前のメイク時には、就寝前に塗布したリップクリームを軽くティシュオフした後、再度リップクリームを塗布して第２モードでリップクリームを塗り伸ばし、あるいは唇のマッサージを行って口紅を塗布すればよい。
【００４３】
（綿棒の切断構造）
以上の説明から理解できるように、綿棒５４はその軸部５６を所定の長さに切断した状態で使用するが、軸部５６の切断をユーザー自身で簡便に行えるようにするために、下キャップ５に綿棒を切断するための構造を設けている。図１６および図１７において、綿棒の切断構造は、下キャップ５の底壁の隅部寄りに設けた綿棒装填穴９５と、この装填穴９５に臨んで下キャップ５の周囲壁から連出した１対の棒受壁９６とで構成する。綿棒装填穴９５は、綿球部５５を差込むための不完全円状の丸穴９７と、丸穴９７に連続して隅部へ延びる角穴９８とで鍵穴形に形成してある。棒受壁９６は角穴９８の対向縁に沿って形成してあり、その上端から装填穴９５の下開口までの長さが、肌用電極５３の受座７１から逃穴７５の内奥端までの長さに一致させてある。また、１対の棒受壁９６の対向間隔は、装填穴６８の直径と同じか、これより僅かに大きく設定してある。
【００４４】
綿棒５４を切断する場合には、図１７（ａ）に示すように、綿球部５５を下キャップ５の下面側から綿棒装填穴９５の丸穴９７に差込み、綿棒５４の全体を角穴９８側へ移動させて綿球部５５を下キャップ５の隅壁に接当させる。この状態で、綿棒５４から指先を離すと、図１７（ｂ）に示すように、綿球部５５の基端部が棒受壁９６で受止められて綿棒５４が宙吊り状態となる。次に、図１７（ａ）に示すように、綿球部５５を下キャップ５の隅部に押えつけて固定したのち、図１７（ｂ）に示すように、軸部５６を棒受壁９６の厚み方向へ折り曲げて余分な軸部５６を切断することにより、適正な長さに切断された綿棒５４を得ることができる。従って、ユーザーは、衛生的な状態で保管しておいた綿棒５４を、イオンクレンジング作業を行う直前に切断して、清潔な状態で使用することができる。
【００４５】
イオンクレンジング作業を行ったのちの綿棒５４は、肌用電極５３から取外して廃棄する。しかし、綿棒５４を肌用電極５３に装着した状態のままで、下キャップ５が底蓋８に装着されてしまうと、雑菌が繁殖し、あるいは皮脂が腐敗するなど、非衛生的な状態になってしまう。こうした事態を確実に防止し、肌用電極５３を常に衛生的な状態に保持するために、図１２に示すように、下キャップ５の内法上下寸法を、下エンドキャップ５９の下端面から肌用電極５３の下端面までの上下寸法より僅かに大きくなるように設定している。こうした下キャップ５によれば、肌用電極５３の綿棒５４を差込んだ状態のままでは、綿棒５４が邪魔になって下キャップ５を底蓋８に係合することができなくなる。従って、ユーザーの注意を喚起して、使用後の綿棒５４は廃棄する必要があることを物理的に明確に知らせて、唇用美容器具の適正な使用を促すことができる。
【００４６】
図１８は唇用美容器具の別の実施例を示す。そこでは、保持ケース７の上端に斜めの装着壁１００を設け、この装着壁１００に加熱ヘッド２を同壁１００と直交する状態で取付けるようにした。この取付け形態以外の部分は、先の実施例と同じであるので、同じ部材に同じ符号を付してその説明を省略する。以下の実施例においても同じ扱いとする。
【００４７】
図１９（ａ）〜（ｆ）は、それぞれ加熱ヘッド２の別の実施例を示す。図１９（ａ）の加熱ヘッド２は、展伸面３２を断面六角形状に形成し、その端部に部分球面状のマッサージ面３１を形成した。図１９（ｂ）の加熱ヘッド２では、断面円形の展伸面３２の端部に、平坦面からなるマッサージ面３１を形成した。
【００４８】
図１９（ｃ）の加熱ヘッド２では、展伸面３２を断面四角形状に形成し、その端部に平坦面からなるマッサージ面３１を形成した。図１９（ｄ）の加熱ヘッド２では、展伸面３２およびマッサージ面３１を１個の球面で形成して、展伸面３２とマッサージ面３１とが境目のない状態で連続するようにした。以上のように、展伸面３２は、加熱ヘッド２の表面に周回状に連続する状態で形成してあればよい。
【００４９】
図１９（ｅ）の加熱ヘッド２では、図１９（ｂ）の加熱ヘッド２と同様に、断面円形の展伸面３２の端部に平坦面からなるマッサージ面３１を形成するが、マッサージ面３１を加熱ヘッド２の上下方向の中心軸に対して傾斜させるようにした。図１９（ｃ）におけるマッサージ面３１も同様に斜めに傾斜させることができる。図１９（ｆ）の加熱ヘッド２では、展伸面３２およびマッサージ面３１をダイヤカット状の多面体で形成するようにした。このように多面体状に形成した加熱ヘッド２では、展伸面３２が多数個の平面で形成されるので、加熱ヘッド２が転動しすぎるのを抑制してリップクリームの塗り伸ばしを的確に行える。なお、化粧料を塗り伸ばす展伸面３２と、唇をマッサージするマッサージ面３１とを含んで球状に形成してある加熱ヘッド２とは、図１９（ｄ）・（ｆ）に示す加熱ヘッド２の形状を意味している。また、化粧料を塗り伸ばす展伸面３２と、唇をマッサージするマッサージ面３１とを含んで丸棒状に形成してある加熱ヘッド２とは、図１９（ｂ）・（ｅ）に示す加熱ヘッド２の形状を意味している。
【００５０】
上記の実施例以外に、ヒーターユニット（熱源）１１は本体部１に配置する必要はなく、加熱ヘッド２の内部に配置することができる。例えば、加熱ヘッド２の中空部３４にヒーターユニット１１を配置することができる。熱源１１はニクロム線ヒーターなどで構成することができる。電源部１２は電池である必要はなく、商用電源を電源部１２とし、あるいは２次電池を電源部１２とすることができる。スイッチ操作具１３は、押しボタン構造である必要はなく、スライドノブ構造であってもよい。
【００５１】
上記の実施例では、本体部１の一端に加熱ヘッド２を設け、他端にイオンクレンジング装置３を設けたが、本発明の美容器具は、少なくとも本体部１の一部に加熱ヘッド２が設けてあれば足りる。加熱ヘッド２は、ステンレス、銅合金を素材にして形成することができる。また、使用時における加熱ヘッド２の加熱温度が充分に低いので、必要があればプラスチック成形品、あるいはガラス成形品などで加熱ヘッド２を構成することができる。
【符号の説明】
【００５２】
１    本体部
２    加熱ヘッド
３    イオンクレンジング装置
６    本体ケース
７    保持ケース
１１    熱源（ヒーターユニット）
１２    電源部（電池）
１３    スイッチ操作具（スイッチボタン）
３１    マッサージ面
３２    展伸面
【図１】
2015006583.tif 000003
【図２】
2015006583.tif 000004
【図３】
2015006583.tif 000005
【図４】
2015006583.tif 000006
【図５】
2015006583.tif 000007
【図６】
2015006583.tif 000008
【図７】
2015006583.tif 000009
【図８】
2015006583.tif 000010
【図９】
2015006583.tif 000011
【図１０】
2015006583.tif 000012
【図１１】
2015006583.tif 000013
【図１２】
2015006583.tif 000014
【図１３】
2015006583.tif 000015
【図１４】
2015006583.tif 000016
【図１５】
2015006583.tif 000017
【図１６】
2015006583.tif 000018
【図１７】
2015006583.tif 000019
【図１８】
2015006583.tif 000020
【図１９】
2015006583.tif 000021